(57)【要約】【課題】カップ等の容器への設置時にフィルタ本体の安定性のある飲料抽出フィルタ及び飲料抽出バッグを提供する。【解決手段】本発明は、下方に向かってすぼむ二辺を有する一対の基材を互いに対向させ、前記二辺を閉じ、上端側を開口させた袋状のフィルタ本体３と、フィルタ本体３の外表面に貼着された中央貼着部１６と、中央貼着部１６の左右両側に形成され且つ中央貼着部１６の下端と連結部２５を介して連続したアーム部１７と、アーム部とその上端側で連続しアーム部１７を取り囲むように形成されフィルタ本体３から離間して容器の外表面に係止される係止部とを有したホルダ４とを備え、左右両側のアーム部１７，１７の互いに対向する内側辺１７ａ，１７ａの少なくとも一部が、連結部２５よりも上方において、谷折り線２１として中央貼着部１６に固定され、谷折り線２１を軸として左右両側のアーム部１７の外側が立ち上がり可能に形成されている。【選択図】図１
2018047069.tif 000002
【特許請求の範囲】
【請求項１】
下方に向かってすぼむ二辺を有する一対の基材を互いに対向させ、前記二辺を閉じ、上端側を開口させた袋状のフィルタ本体と、
このフィルタ本体の外表面に貼着された中央貼着部と、この中央貼着部の左右両側に形成され且つ前記中央貼着部の下端と連結部を介して連続したアーム部と、このアーム部とその上端側で連続し前記アーム部を取り囲むように形成され前記フィルタ本体から離間して容器の外表面に係止される係止部とを有したホルダとを備え、
前記左右両側のアーム部の互いに対向する内側辺の少なくとも一部が、前記連結部よりも上方において、谷折り線として中央貼着部に固定され、前記谷折り線を軸として前記左右両側のアーム部の外側が立ち上がり可能に形成されている飲料抽出フィルタ。
【請求項２】
前記内側辺の全体が、前記谷折り線として中央貼着部に固定されている請求項１に記載の飲料抽出フィルタ。
【請求項３】
前記アーム部の互いに対向する前記内側辺どうしの成す角が、６度以上９０度以下のＶ字状に形成されている請求項１又は２に記載の飲料抽出フィルタ。
【請求項４】
前記アーム部の互いに対向する内側辺が、下方に向かって急峻にすぼむ上辺部と、下方に向かって緩やかにすぼむ下辺部とを有している請求項１から３のいずれか一項に記載の飲料抽出フィルタ。
【請求項５】
前記係止部が、下方に向かってすぼむ一対の傾斜辺部を有している請求項１から４のいずれか一項に記載の飲料抽出フィルタ。
【請求項６】
前記アーム部の下端部外側から内側に向かって切込みが形成され、前記下端部外側が前記フィルタ本体から浮き上がり可能に形成されている請求項１から５のいずれか一項に記載の飲料抽出フィルタ。
【請求項７】
前記係止部には、その内側辺に沿って立ち上がり可能な可動片が形成されている請求項１から６のいずれか一項に記載の飲料抽出フィルタ。
【請求項８】
前記係止部は、前記アーム部の端部から水平方向両外側に延びた左右一対の肩部と、この左右一対の肩部から下方にすぼむ傾斜辺部を有する係止腕部とを有し、前記肩部と前記係止腕部との境目近傍の内側辺には、鉛直下方に延びる辺が形成されている請求項１から７のいずれか一項に記載の飲料抽出フィルタ。
【請求項９】
下方に向かってすぼむ二辺を有する一対の基材を互いに対向させ、前記二辺を閉じ、上端側を開口させた袋状のフィルタ本体と、
このフィルタ本体の外表面に貼着された中央貼着部と、この中央貼着部の左右両側に形成されたアーム部と、このアーム部の上端側で連続し前記アーム部を取り囲むように形成され前記フィルタ本体から離間して容器の外表面に係止される係止部とを有したホルダとを備え、
前記アーム部が前記フィルタ本体から離間可能であるとともに下方に向かってすぼむ向きに形成され、
前記左右両側のアーム部の互いに対向する内側辺どうしの成す角が、１０度以上９０度以下のＶ字状に形成された飲料抽出フィルタ。
【請求項１０】
請求項１から９のいずれか一項に記載の飲料抽出フィルタに抽出原料が収容されて開口部が封止された飲料抽出バッグ。
【発明の詳細な説明】
【技術分野】
【０００１】
本発明は、飲料抽出フィルタ及び飲料抽出バッグに関する。
【背景技術】
【０００２】
飲料抽出フィルタに関連する技術として特許文献１が開示されている。この公報に記載された飲料抽出フィルタは、濾紙や不織布等からなるフィルタ本体と、このフィルタ本体を保持しながら容器の上端に置いて掛止させるためのホルダとを有している。
フィルタ本体は、使用前の状態において、下方が窄む扇形又は五角形の一対のシート材を上方が開口するように貼り合わせて形成されている。
ホルダは、フィルタ本体の外表面に貼着されている。このホルダの構成の左右方向の中央部分を構成する中央貼着部は、フィルタ本体に貼着され固定されている。中央貼着部の左右両側に形成されたアーム部は、下端側の連結部がフィルタ本体に貼着され、連結部を介して前記中央貼着部と連続的につながっている。アーム部は、連結部以外においてフィルタ本体から離れて引き起こし可能になっている。アーム部とその上端側で連続した掛止部は、アーム部を取り囲むように形成され、フィルタ本体から離れて引き出し可能で、容器の外表面に掛けられるようになっている。
このように、飲料抽出フィルタは、連結部以外のアーム部の全体及び掛止部がフィルタから離れて引き延ばされる構成になっている。
【先行技術文献】
【特許文献】
【０００３】
【特許文献１】特開２０１４−１０９１３３号公報
【発明の概要】
【発明が解決しようとする課題】
【０００４】
従来の飲料抽出フィルタのフィルタ本体は、アーム部と連結部のみでつながっているため、フィルタ本体が搖動しやすく、フィルタ本体を開口させてカップ等に設置した際のフィルタ本体の安定性に欠けるという問題があった。
そこで本発明は、カップ等の容器への設置時にフィルタ本体の安定性のある飲料抽出フィルタ及び飲料抽出バッグを提供する。
【課題を解決するための手段】
【０００５】
本発明の飲料抽出フィルタは、下方に向かってすぼむ二辺を有する一対の基材を互いに対向させ、前記二辺を閉じ、上端側を開口させた袋状のフィルタ本体と、このフィルタ本体の外表面に貼着された中央貼着部と、この中央貼着部の左右両側に形成され且つ前記中央貼着部の下端と連結部を介して連続したアーム部と、このアーム部とその上端側で連続し前記アーム部を取り囲むように形成され前記フィルタ本体から離間して容器の外表面に係止される係止部とを有したホルダとを備え、前記左右両側のアーム部の互いに対向する内側辺の少なくとも一部が、前記連結部よりも上方において、谷折り線として中央貼着部に固定され、前記谷折り線を軸として前記左右両側のアーム部の外側が立ち上がり可能に形成されている。
この構成によれば、アーム部の内側辺が連結部よりも上方において中央貼着部に固定されているので、アーム部がフィルタ本体に固定される部分が大きくなる。したがって、フィルタ本体の搖動が起きにくい。
【０００６】
本発明の前記内側辺の全体は、前記谷折り線として中央貼着部に固定されていてもよい。
この構成によれば、アーム部の内側辺の全体が中央貼着部に固定されているため、フィルタ本体の搖動がより起きにくい。
【０００７】
本発明の前記アーム部の互いに対向する前記内側辺どうしの成す角は、６度以上９０度以下のＶ字状に形成されていてもよい。
この構成では、アーム部が撓みにくい。
【０００８】
本発明の前記アーム部の互いに対向する内側辺は、下方に向かって急峻にすぼむ上辺部と、下方に向かって緩やかにすぼむ下辺部とを有していてもよい。  
この構成によれば、アーム部の一部がＶ字状に形成されているため撓みにくい。
【０００９】
本発明の前記係止部は、下方に向かってすぼむ一対の傾斜辺部を有していてもよい。  
この構成によれば、係止部を容器の外周面にフィットさせやすい。
【００１０】
本発明の前記アーム部の下端部外側から内側に向かって切込みが形成され、前記下端部外側が前記フィルタ本体から浮き上がり可能に形成されていてもよい。  
この構成によれば、アーム部の外側の立ち上がりが容易となる。
【００１１】
本発明の前記係止部には、その内側辺に沿って立ち上がり可能な可動片が形成されていてもよい。  
この構成によれば、係止部の表面と角度を変えることができるタブを、容器の外周面により確実にフィットさせやすくなる。
【００１２】
本発明の前記係止部は、前記アーム部の端部から水平方向両外側に延びた左右一対の肩部と、この左右一対の肩部から下方にすぼむ傾斜辺部を有する係止腕部とを有し、前記肩部と前記係止腕部との境目近傍の内側辺には、鉛直下方に延びる辺が形成されていてもよい。
この構成によれば、前記内側辺により容器の開口部を確実に保持しやすい。
【００１３】
（９）  本発明の飲料抽出フィルタは、下方に向かってすぼむ二辺を有する一対の基材を互いに対向させ、前記二辺を閉じ、上端側を開口させた袋状のフィルタ本体と、
このフィルタ本体の外表面に貼着された中央貼着部と、この中央貼着部の左右両側に形成されたアーム部と、このアーム部の上端側で連続し前記アーム部を取り囲むように形成され前記フィルタ本体から離間して容器の外表面に係止される係止部とを有したホルダとを備え、前記アーム部が前記フィルタ本体から離間可能であるとともに下方に向かってすぼむ向きに形成され、前記左右両側のアーム部の互いに対向する前記内側辺どうしの成す角が、１０度以上９０度以下のＶ字状に形成されている。
この構成によれば、係止部を引き出した際にアーム部がＶ字状の上端すなわち外側から引き起こされることでアーム部にねじれが生じ、バネ効果すなわち元に戻ろうとする力が働きやすくなる。したがって、アーム部にフィルタ本体と係止部とを引き寄せようとする力すなわちバネ効果が生まれる。
【００１４】
本発明の飲料抽出バッグは、上記いずれか一項に記載の飲料抽出フィルタに抽出原料が収容されて開口部が封止されている。
この構成によれば、上記いずれかの作用を有する飲料抽出バッグとなる。
【発明の効果】
【００１５】
本発明の飲料抽出フィルタ及び飲料抽出バッグは、カップ等の容器への設置時にフィルタ本体の安定性を有するという効果を奏する。
【図面の簡単な説明】
【００１６】
【図１】本発明の第１の実施形態である飲料抽出フィルタを折り畳んだ状態で示す正面図である。
【図２】本発明の第１の実施形態である飲料抽出フィルタのフィルタ本体を示した正面図である。
【図３】本発明の第１の実施形態である飲料抽出フィルタを開口して容器にセットした状態を示す斜視図である。
【図４】本発明の第１の実施形態である飲料抽出フィルタを開口して容器にセットした状態を示す正面図である。
【図５】本発明の第１の実施形態である飲料抽出フィルタを開口して容器にセットした状態を示す側面図である。
【図６】本発明の第１の実施形態である飲料抽出フィルタを開口して容器にセットした状態を示す上面斜視図である。
【図７】本発明の第２の実施形態である飲料抽出フィルタを折り畳んだ状態で示す正面図である。
【図８】本発明の第２の実施形態である飲料抽出フィルタを開口して容器にセットした状態を示す斜視図である。
【図９】本発明の第３の実施形態である飲料抽出フィルタを折り畳んだ状態で示す正面図である。
【図１０】本発明の第３の実施形態である飲料抽出フィルタを開口して容器にセットした状態を示す斜視図である。
【図１１】本発明の第３の実施形態である飲料抽出フィルタを開口して容器にセットした状態を示す側面図である。
【発明を実施するための形態】
【００１７】
以下、本発明の例示として第１の実施形態から第３の実施形態の飲料抽出フィルタ及び飲料抽出バッグについて図を参照して説明する。なお、各実施形態において、上下左右とは、飲料抽出フィルタを容器に設置した状態での向きを意味している。また、図３−図５，図８，図１０及び図１１については、容器の下部を省略して示すとともに、飲料抽出フィルタを容器に掛けた際に容器内での飲料抽出フィルタの状態が分かるように、便宜上、容器の一部を破断して示している。
【００１８】
＜第１の実施形態＞
図１に示すように、本発明の第１の実施形態である飲料抽出フィルタ１Ａは、上端側に開口部２が形成された袋状のフィルタ本体３と、フィルタ本体３の外表面に取り付けられ、フィルタ本体３を図３に示す容器１００に係止させるとともに、フィルタ本体３の開口部２の形状を保持するホルダ４とを備えている。
【００１９】
図２に示すように、フィルタ本体３は、第１基材５とこれに対向配置させる第２基材６とを備えている。
第１基材５は、水平方向に延びる第１の上辺７ａと、第１の上辺７ａの両端から互いに離間するように斜め下方に延びる第２の上辺７ｂ，７ｂと、上辺７ｂの下端から頂部Ｅ方向に延びる左右の下辺７ｃ，７ｃとに囲まれた５角形に形成されている。
第１の上辺７ａと第２の上辺７ｂとが成す角度は約１３５度、第２の上辺７ｂと下辺７ｃとが成す角は約９０度、下辺７ｃ，７ｃが成す角は約９０度にされている。
第２基材６は、第１基材５と同形状に形成されている。なお、第２基材６を取り囲んでいる各辺の符号は第１基材５の対向する又は重なり合う各辺の符号と同じである。
【００２０】
第１基材５と第２基材６とは、濾紙や不織布などからなる通液性を有する材料により形成されており、各辺を揃えて重ねられ、左右の下辺７ｃ，７ｃの直近を直線状かつ連続的に溶着し、第１の上辺７ａ及び第２の上辺７ｂ，７ｂを解放した状態で貼り合わされている。これにより、第１の上辺７ａ及び第２の上辺７ｂにおいて開口可能で、閉じられた下辺７ｃ，７ｃが頂部Ｅに向かってすぼむ形状になっている。
【００２１】
ホルダ４は、フィルタ本体３の第１基材５に固定された第１保持部９と、第２基材６に固定された第２保持部１０とを有している。このホルダ４は、紙又は合成樹脂等の材料により剛性のある薄板状に形成されている。
第１保持部９は、上辺９ａ，９ｂ，９ｂと、下辺９ｃ，９ｃ，９ｄとによりほぼ六角形に形成されている。
【００２２】
上辺９ａ，９ｂ，９ｂは、第１基材５の第１の上辺７ａ及び第２の上辺７ｂ，７ｂに沿って形成されている。上辺９ａの左側半分には、上辺９ａから突出するタブ１１が形成されている。
下辺９ｃ，９ｃは、第１基材５の下辺７ｃ，７ｃに沿って形成されている。
下辺９ｄは、第１の上辺７ａにほぼ平行で第１の上辺７ａよりもやや短く形成されている。
【００２３】
図１に示すように、ホルダ４の一方の基材を構成する第１保持部９は、上辺９ａに沿って形成された正面上側貼着部１５と、正面上側貼着部１５の左右方向の中央で縦方向に形成された中央貼着部１６と、中央貼着部１６の左右両側に形成されたアーム部１７，１７と、一方のアーム部１７の上端から他方のアーム部１７の上端までアーム部１７，１７の下方を取り囲むように形成された係止部１８とを有している。第１保持部９は、更に係止部１８の外側に形成され、フィルタ本体３の開口時に図３に示す側面Ｓを支持する側面貼着部１９を有している。
【００２４】
正面上側貼着部１５は、上辺９ａと、上辺９ｂ，９ｂから下方に窄むように斜め方向に延びる山折り線２０と、上辺９ａに平行で係止部１８の一部を形成する肩部２６の外側辺２６ｂ，２６ｂを結んだ仮想線Ｌに囲まれて形成されている。正面上側貼着部１５の少なくとも一部は、フィルタ本体３に貼着されている。この正面上側貼着部１５は、図３に示すように、フィルタ本体３が開口した際の正面Ｆ及び背面Ｂの開口部２を形成し、支持する部分となっている。
なお、山折り線２０同士が成す角度は約８０度に設定されており、図３に示すように、図１に示す第１保持部９及び第２保持部１０の４本の山折り線２０でフィルタ本体３を四角錐にするようになっている。
【００２５】
図１及び図４に示すように、中央貼着部１６は、正面上側貼着部１５の左右方向の中間の位置から下方に延びている。中央貼着部１６は、正面上側貼着部１５の下方に形成された略Ｖ字形の谷折り線２１に挟まれた部分である。中央貼着部１６の少なくとも一部はフィルタ本体３に貼着されている。
【００２６】
谷折り線２１は、中央貼着部１６とアーム部１７とを分けており、アーム部１７の内側辺１７ａを構成している。この谷折り線２１は、型押しされた直線若しくは浅い切込みによるものを含む間欠的な又は破線の切込みにより形成され、中央貼着部１６とアーム部１７の内側とが分離しないように且つ折り曲げ易くされている。この谷折り線２１，２１同士が成す角度は、６度以上９０度未満に設定されており、１０度以上８０度以下に設定されることが好ましく、２０度以上６０度以下に設定されていることがより好ましい。
【００２７】
谷折り線２１，２１同士の成す角度が６度未満であると、アーム部１７が略垂直方向に立ち上るため、一対のアーム部１７，１７により、図３に示す正面Ｆと背面Ｂの２か所でフィルタ本体３を支持する格好となる。このような構成では、フィルタ本体３を開口してその内部に注液した際に、液体の荷重でアーム部１７が外側に弧を描くように撓みやすくなる。また、谷折り線２１，２１同士の成す角度が９０度以上であると係止部１８を引き起こし難くなる。
【００２８】
しかし、図４に示すように、谷折り線２１，２１同士の成す角度が１０度以上であると撓み難くなり、２０度以上であると、略撓まなくなる。また、谷折り線２１，２１同士の成す角度が８０度以下であると係止部１８を引き起こし易くなり、２０度以上６０度以下であると、引き出し易さが適度になる。
本実施形態では、谷折り線２１，２１同士の成す角は４０度に設定されている。
【００２９】
図４に示すように、アーム部１７，１７は、互いに対向する内側辺１７ａ，１７ａ及び外側辺１７ｂ，１７ｂにより、略Ｖ字型に形成されている。外側辺１７ｂは、内側辺１７ａに平行に設けられ、下端ｐにおいて内側辺１７ａの下端よりも少し下方で、中央方向に緩やかに折れ曲がって各アーム部１７の幅方向中間部に達している。各外側辺１７ｂは下端ｐから斜め上方に向かう一続きの切込みにより形成されている。これによりアーム部１７の下端部外側が立ち上がりやすい構造となっている。
【００３０】
なお、外側辺１７ｂの下端ｐは、内側辺１７ａに交差しない限り、内側辺１７ａの下端と同じ高さ位置（上下方向の位置）まで延びていてもよい。
これらのアーム部１７，１７の少なくとも外側は、フィルタ本体３に貼着されずに、谷折り線２１を基端として外側辺１７ｂから立ち上がり可能になっている。
【００３１】
図１に示すように、中央貼着部１６及びアーム部１７，１７の下方には、これらをつなげている連結部２５が形成されている。連結部２５は、アーム部１７及び中央貼着部１６の下方において略水平方向に延び、その両端でアーム部１７に沿って、一定の幅で、アーム部１７の左右両外側に延びている。連結部２５は、中央貼着部１６及びアーム部１７の下方の少なくとも一部においてフィルタ本体３に貼着されている。本実施形態では、連結部２５の全体がフィルタ本体３に貼着されている。
なお、連結部２５は、中央貼着部１６及びアーム部１７をつなげている限り、中央貼着部１６及びアーム部１７と連結部２５との間に折れ目又はスリットが入っていてもかまわない。
【００３２】
係止部１８は、一対のアーム部１７の上端から左右両外側に略水平方向に延びた左右一対の肩部２６と、両肩部２６，２６からアーム部１７及び連結部２５の側方及び下方を取り囲むように略Ｖ字状又は略Ｕ字状に形成された係止腕部２７とを有している。係止腕部２７は、肩部２６から折れ曲がって下方に向かってすぼむ一対の傾斜辺部２８とその下端で傾斜辺部２８，２８同士を結ぶ底辺部２９とを有している。
【００３３】
係止部１８の輪郭を構成する内側辺１８ａは、連結部２５と切り離されるように、また、外側辺１８ｂは、側面貼着部１９と切り離されるように、それぞれ一続きの切込みにより形成されている。
具体的に言うと、肩部２６は、アーム部１７の外側辺１７ｂの上端から連続して略水平方向に切り込まれた内側辺２６ａと、谷折り線２１の上端から斜め上方に湾曲した後略水平方向に切り込まれ、更にその後斜め下方に切り込まれた外側辺２６ｂとにより形成されている。肩部２６は、本実施形態では係止腕部２７よりも幅広に形成されている。
【００３４】
また、係止腕部２７は、肩部２６の内側辺２６ａの両端から略鉛直下方に所定寸法下がった後、連結部２５及びアーム部１７，１７を取り囲むように形成された内側辺２７ａと、内側辺２７ａと一定の間隔を空けて一定の幅寸法を持たせて外側辺２６ｂから連続して形成された外側辺２７ｂとにより形成されている。
この構成により、係止腕部２７は、肩部２６の外側端部から下方に向かってすぼむ方向に延びる一対の傾斜辺部２８と、傾斜辺部２８，２８の下端間に亘って延びる底辺部２９とを有している。左右の傾斜辺部２８は、ホルダ４の一対の下辺９ｃに沿って延びており、互いに９０度に交差する方向に延びている。
【００３５】
係止腕部２７の内側辺２７ａの鉛直下方に延びる辺４０（図１，図３，図４参照）の直下には、内側辺２７ａに沿って固定されているとともにこの内側辺２７ａを基端として起き上がり可能な可動片Ｋが形成されている。可動片Ｋは、図１に示すように傾斜辺部２８と連結部２５との隙間を埋めるように形成されている。なお、内側辺２７ａの上端において鉛直下方に延びる辺４０は、肩部２６と係止腕部２７との境目の近傍に形成されていれば、係止腕部２７を形成するものか肩部２６を形成するものか厳密に問うものではない。
【００３６】
この係止部１８は、フィルタ本体３に貼着されておらず、上述のとおり内側辺１８ａ及び外側辺１８ｂがそれぞれ一続きの切込みにより形成されているため、引き起こしてフィルタ本体３から離間させることができるようになっている。
【００３７】
図１及び図５に示すように、側面貼着部１９は、正面上側貼着部１５に隣り合って肩部２６の上方で隣り合う側面上側支持部３０と、傾斜辺部２８に沿って形成された側面中心支持部３１とを有している。
側面上側支持部３０は上辺９ｂにほぼ沿って延び、その少なくとも一部がフィルタ本体３に貼着されており、図３及び図５に示す側面Ｓの上端開口部を支持する部分である。側面中心支持部３１は、下辺９ｃに沿って左右の角部付近から長尺に延び、その少なくとも一部がフィルタ本体３に貼着されており、フィルタ本体３が開口した際に、図２に示す下辺７ｃを挟んで側面の中心を縦方向に支持する部分である。
本実施形態では、側面上側支持部３０及び側面中心支持部３１共に、全体がフィルタ本体３に貼着されている。
【００３８】
次に、飲料抽出フィルタ１Ａの使用方法と作用について説明する。
図１に示す飲料抽出フィルタ１Ａを図３に示す容器１００に設置するには、図１に示すようにホルダ４の係止腕部２７の底辺部２９を把持して、表裏に位置する底辺部２９同士が離れるようにフィルタ本体３から引き起こす。そうすると、肩部２６がわずかにフィルタ本体３から立ち上がりつつ係止腕部２７がやや水平方向に立ち上がって、山折り線２０で第１保持部９及び第２保持部１０が折れ曲がり、開口部２が少し開く。
【００３９】
この状態で飲料抽出フィルタ１Ａを容器１００の上方に位置させ、底辺部２９の裏面（フィルタ本体３に対向する面）を容器１００の外周面に当て、そのまま下方に押し下げる。そうすると、係止腕部２７が容器１００の外周面を摺動し、これに伴って肩部２６の外側が少しずつ立ち上がる。こうして一対の係止部１８は、容器１００の径方向に広げられる。
【００４０】
一対の係止部１８，１８の間が広げられると、図３に示すように、係止部１８に連続しているアーム部１７，１７どうしも係止部１８に引っ張られて径方向に離間し、ホルダ４が山折り線２０で折れ曲がり、正面上側貼着部１５が正面Ｆ及び背面Ｂを、側面上側支持部３０が側面Ｓを向いて、フィルタ本体３が概略四角錐になるように大きく開口する。この際、アーム部１７の内側辺１７ａ，１７ａの略全体が中央貼着部１６に固定されている（言い換えると中央貼着部１６から離れない）ため、一対の係止部１８，１８どうしの離間に伴って、アーム部１７が上下方向の全体に亘って第１基材５と第２基材６とを引き離すように引っ張られ、フィルタ本体３の全体がしっかりと開口する。
【００４１】
そして、図１に示す連結部２５のアーム部１７の左右両側に延びた部分は、図５に示すように側面Ｓ側に回り込んで側面Ｓにおいて正面Ｆとの境目の近傍及び側面Ｂとの境目の近傍を縦方向に支持するとともに、これと間を空けて側面中心支持部３１が側面Ｓの中央部分を縦方向に支持する。
【００４２】
更に、肩部２６の内側辺２６ａに容器１００の上端が当接するまで係止部１８を引き下げると、係止部１８は容器１００をしっかりと把持した状態となる。
【００４３】
すなわち、図４に示すように、係止部１８が容器１００に掛けられた状態において、アーム部１７の内側辺１７ａは、中央貼着部１６から分離しないように固定されているため、アーム部１７は、内側辺１７ａを中心線にしてその外側辺から立ち上がっている。また、アーム部１７は、その下端でフィルタ本体３に貼着されている連結部２５に固定されているため、幅方向の全体が起き上がれる上端に対し、下端は外側辺１７ｂの先端まですなわち外側寄りの少しの幅しか立ち上がることができない。
【００４４】
すなわち、アーム部１７は、上方が立ち上がり易いのに対して下方は立ち上がり難い捻じれ構造になっているため、アーム部１７が元の平坦な形状に戻ろうとすることにより容器１００に掛けられた係止部１８を引き寄せようとするバネ効果が働く。
【００４５】
また、肩部２６については、アーム部１７及び係止腕部２７との各々の間において折り目を形成する線なしに連続しており、またアーム部１７よりも少し大きく立ち上がるため、係止部１８が容器１００に掛けられたとき、係止部１８に元の平坦な形状に戻ろうとするバネ力が働く。
【００４６】
したがって、係止部１８は、図３に示すように、肩部２６の内側辺２６ａが容器１００の上端に当接するまで容器１００の外周面に押し下げられた際に、フィルタ本体３側に近づこうとするバネ力がしっかりと働いて容器１００に固定される。言い換えると、係止部１８は容器１００の外周面に固定されているため、バネ力はフィルタ本体３を開口させておく方向に働くため、フィルタ本体３をしっかりと開口させた状態で維持されやすくなる。
【００４７】
また、係止腕部２７は、一対の傾斜辺部２８が下方に向かって窄む略Ｖ字型に形成されているため、容器１００の円周面にフィットした状態で設置される。したがって、容器１００の外周面にフィットした係止腕部２７に前述のアーム部１７及び係止部１８のバネ効果が有効に働き、係止部１８が容器１００の外周面にしっかりと固定された状態が生まれる。
【００４８】
更に、係止腕部２７は内側辺に沿って立ち上がり可能な可動片Ｋを有しているため、可動片Ｋが容器１００の外周面に沿うように立ち上がることで、外周面に対する密着性が高められる。したがって、係止部１８が容器１００の外周面に強く固定される効果が一層強くなる。
【００４９】
そして更に、係止部１８は、図６に示すように、肩部２６が容器１００の円周上の２点Ｒ１−Ｒ２間に跨るように掛けられるため、前述のバネ効果の働きもあってこの２点Ｒ１−Ｒ２から互いに対向する方向にも容器１００を把持する力が働く。ここで、図４に示すように、係止腕部２７の内側辺２７ａの上端は、略鉛直方向にカットされた辺４０を構成しているため、寸胴又は下方にやや窄むテーパ状に形成された外周面に対し上下方向にぴったりと密着して容器１００を把持する。したがって、係止部１８は、係止腕部２７の上端において前記２点Ｒ１−Ｒ２を結ぶ方向にもより一層強く容器１００に固定される。
【００５０】
そして、図３及び図５に示すように、肩部２６は外側及び上端側をやや立ち上がらせて容器１００の上端に食い込むように堅固に設置されるとともに、係止腕部２７が略Ｖ字型に形成されているため、一旦係止部１８が容器１００の上端に固定されると係止部１８が容器１００から外れる方向に動き難くなる。すなわち、係止腕部２７が略Ｖ字型であるため、係止部１８が上方に移動しようとすると係止腕部２７の内側辺２７ａが容器１００の外周面と当接して徐々に大きな摩擦が生じるのである。
このように、飲料抽出フィルタ１Ａは、アーム部１７及び係止部１８のバネ効果により、容器１００に強く固定することができるという効果を奏する。
【００５１】
また、飲料抽出フィルタ１Ａは、肩部２６が容器１００に対し強く食い込むことができるとともに、係止腕部２７を容器１００の外周面になじむようにフィットさせることが出来る。また、係止腕部２７の内側辺２７ａの上端の鉛直方向の辺４０や可動片Ｋの存在により、容器１００への密着性を高めることができる。また、肩部２６が円周上の互いに離れた２点に跨って掛けられていることから、一対の係止部１８どうしが近接する方向のみならず、２点を結ぶ方向にも把持力を発揮することができる。
したがって、飲料抽出フィルタ１Ａは、容器１００により強く固定することができるという効果を奏する。
【００５２】
また、図４に示すようにアーム部１７の外側辺１７ｂの下端ｐは、外側から内側に向かって切り込まれており、フィルタ本体３から浮き上がり可能に形成されている。したがって、アーム部１７の外側辺１７ｂにおいてある程度立ち上がりやすくなっているという効果を奏する。
【００５３】
また、図５に示すように連結部２５のアーム部１７の左右両側に延びた部分が、側面において正面と側面との境目の近傍を縦方向に支持し、側面中心支持部３１が、側面の中央部分を縦方向に支持するため、フィルタ本体３の側面部もしっかりと支持することができるという効果を奏する。
【００５４】
また、図３に示すように正面上側貼着部１５と側面上側支持部３０とが、フィルタ本体３の開口部２を略連続的に支持しているため、フィルタ本体３の内部に注液した際にフィルタ本体３の開口部２がよれることを有効に防止することができるという効果を奏する。
【００５５】
なお、本実施形態において、アーム部１７の内側辺１７ａは、図１に示すように、その全体において、すなわち肩部２６の外側辺２６ｂの近傍まで中央貼着部１６に固定された構成を例として説明したがこれに限定されるものではなく、連結部２５よりも上方において少なくとも一部が固定されていればよい。具体的には、アーム部１７の内側辺１７ａは、連結部２５よりも上方に設定された内側辺１７ａの下端側、上端側又はこれらの間の中央付近の少なくともいずれかで中央貼着部１６に固定されていればよい。
【００５６】
アーム部１７の内側辺１７ａがこのように構成されていれば、内側辺１７ａがフィルタ本体３から立ち上がりにくくなるとともに、谷折り線２１を軸としてアーム部１７の外側が立ち上がって、バネ効果を発揮し得るからである。
【００５７】
＜第２の実施形態＞
次に、本発明の第２の実施形態の飲料抽出フィルタ１Ｂについて、図７及び図８を用いて説明する。
本実施形態では、第１の実施形態と同一の構成については同一の符号を付してその説明を省略し、第１の実施形態と相違する点を中心に説明する。
【００５８】
本実施形態の飲料抽出フィルタ１Ｂが第１の実施形態の飲料抽出フィルタ１Ａと異なる点は、アーム部１７の内側辺１７ａが、下方に向かって急峻にすぼむ上辺部３５と、下方に向かって緩やかにすぼむ下辺部３６とを有している点である。言い換えると、飲料抽出フィルタ１Ｂは、下方から上方に向かって大きく、その後小さく、２段階拡開している。本実施形態ではアーム部１７の内側辺１７ａの下端から上下方向ほぼ中央まで（下辺部３６）が５５度前後で拡開しており、その残り（上辺部３５）が、２５度前後で拡開している。
【００５９】
アーム部１７の内側辺がこのように２段階拡開することにより、アーム部１７をＶ字型に形成しつつも肩部２６の立ち上がりが若干容易になり、結果、容器１００の外周面への係止腕部２７の密着性がより高くなる。したがって、飲料抽出フィルタ１Ｂは、容器１００への固定が堅固になるという効果を奏する。
【００６０】
＜第３の実施形態＞
次に、本発明の第３の実施形態について図９−図１１を用いて説明する。
本実施形態では、前述の第１の実施形態及び第２の実施形態と同一の構成については同一の符号を付してその説明を省略し、前述の実施形態と相違する点を中心に説明する。
本実施形態の飲料抽出フィルタ１Ｃが第１の実施形態又は第２の実施形態の飲料抽出フィルタ１Ａ，１Ｂと異なる点は、アーム部１７の内側辺１７ａが切り込み線で形成されており、中央貼着部１６に固定されていない点である。
前述のとおり、開口時のフィルタ本体３の安定性の観点及びバネ効果の観点からは、アーム部１７の内側辺が中央貼着部１６に固定されていることが最も好ましいが、アーム部１７の内側辺１７ａは中央貼着部１６に固定されていなくてもバネ効果を発揮し得る。
【００６１】
なぜなら、アーム部１７は、Ｖ字型に形成されフィルタ本体３から引き起こされた際に、外側が立ち上がりやすくなっているのに対し、下端は連結部２５に固定されているため、捻じれ構造をなし、アーム部１７に元の平坦形状に戻ろうとするバネ効果が働くからである。また、アーム部１７は、Ｖ字型に形成されているため、垂直に形成されている場合に比べて引き起こし難くなっていることからもバネ効果が働く。
【００６２】
また、アーム部１７は、Ｖ字型に形成されており、すなわちフィルタ本体３から引き起こされた際に頂部Ｅを中心として略４方向に延びた状態となる。
従ってフィルタ本体３の内部に注液され荷重がかかっても、垂直に形成された従来のアーム部１７のように撓んでしまうことを回避することができ、開口されたフィルタ本体３をしっかりと保持しつつ、容器１００に固定することができるという効果を奏する。
【００６３】
本発明は、以上で例示した実施形態を含む本発明の飲料抽出フィルタ１Ａ等のフィルタ本体３の内部に引いたコーヒー豆等の飲料の抽出原料を収容して開口部２を封止した飲料抽出バッグであってもよい。
このような飲料抽出バッグは、飲料のドリップに非常に便利であり、タブ１１により収容した抽出原料をこぼさずに開口部２を容易に開封することができるという効果を奏する。そして、飲料抽出バッグは、上述した機能により飲料抽出フィルタ１Ａ等を安定的に設置して飲料の抽出を行うことができる。
【００６４】
なお、タブ１１は、飲料抽出フィルタ１Ａ−１Ｃ内に抽出原料を収容させて開口部２を封止した飲料抽出バッグを開封する際に把持する部分として、特に有効に機能するパーツとして上記各実施形態にて示した。しかし本発明の飲料抽出フィルタは、予め抽出原料を封入せずに飲料の抽出時に抽出原料を充填した場合にも上記した作用及び効果を奏するものであり、本発明においてタブ１１が形成されていることは必須ではない。
【符号の説明】
【００６５】
１Ａ，１Ｂ，１Ｃ…飲料抽出フィルタ
２…開口部
３…フィルタ本体
４…ホルダ
７ｃ…下辺（下方に向かってすぼむ２辺）
５…第１基材
６…第２基材
１６…中央貼着部
１７…アーム部
１７ａ…内側辺
１８…係止部
２１…谷折り線
２５…連結部
２６…肩部
２７…係止腕部
２８…傾斜辺部
３５…上辺部
３６…下辺部
４０…鉛直下方に延びる辺
１００…容器
Ｅ…頂部
ｐ…下端（切込み）
【図１】
2018047069.tif 000003
【図２】
2018047069.tif 000004
【図３】
2018047069.tif 000005
【図４】
2018047069.tif 000006
【図５】
2018047069.tif 000007
【図６】
2018047069.tif 000008
【図７】
2018047069.tif 000009
【図８】
2018047069.tif 000010
【図９】
2018047069.tif 000011
【図１０】
2018047069.tif 000012
【図１１】
2018047069.tif 000013